Podtech/llm-jp-corpus-v4-ja_patent huggingface dataset:
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
抗菌剤感受性表現型の機序を決定するための方法であって、
−  少なくとも１つの抗菌剤に対して感受性でない少なくとも１つの微生物を含む試料を提供する工程と；
−  前記試料に抗菌剤を接触させる工程であって、前記抗菌剤は１つ以上の微生物を死滅させるか、その増殖を阻害するか、又はその生存能力を弱めることができる、前記工程と；
−  前記少なくとも１つの微生物を、前記抗菌剤に対する非感受性表現型に関与する少なくとも１つの特定核酸配列を標的とするオリゴヌクレオチド分子を含む少なくとも１つの化合物と接触させる工程と、
−  レポーター分子をコードするレポーター核酸分子を含む非複製性形質導入粒子（ＮＲＴＰ）が微生物内に前記レポーター核酸分子を挿入し、かつ前記レポーター分子が生存能力の検出可能な指標を提供するような条件下で、前記試料をＮＲＴＰと接触させる工程と；
−  前記微生物が前記抗菌剤及び前記オリゴヌクレオチド分子と接触しているときに、微生物に関連する生存能力の検出可能な指標の存在又は欠如に基づいて、微生物の抗菌剤感受性表現型の機序を決定する工程であって、生存能力の検出可能な指標の存在は、前記オリゴヌクレオチド分子によって標的とされる特定核酸配列が、前記抗菌剤に対する抗菌剤感受性表現型の機序に関連しないことを示し、生存能力の検出可能な指標の欠如は、前記オリゴヌクレオチド分子によって標的とされる特定核酸配列が、前記抗菌剤に対する抗菌剤感受性表現型の機序に関連していることを示す、前記工程と
を含む、方法。
【請求項２】
非感受性表現型に関与する機序を決定するための方法であって、
−  カルバペネムに対して感受性でない腸内細菌科微生物を含む試料を提供する工程と；
−  前記試料をカルバペネムと接触させる工程と；
−  前記腸内細菌科微生物を、カルバペネム耐性に関連する遺伝子を標的とするオリゴヌクレオチド分子と接触させる工程と；
−  レポーター分子をコードするレポーター核酸分子を含む非複製性形質導入粒子（ＮＲＴＰ）が腸内細菌科微生物内に前記レポーター核酸分子を挿入し、かつ前記レポーター分子が生存能力の検出可能な指標を提供するような条件下で、前記試料をＮＲＴＰと接触させる工程と；
−  前記腸内細菌科微生物がカルバペネム及びオリゴヌクレオチド分子と接触しているとき、前記腸内細菌科微生物に関連する生存能力の検出可能な指標の存在又は欠如に基づいて、前記腸内細菌科微生物のカルバペネム非感受性の機序を決定する工程であって、生存能力の検出可能な指標の存在は、オリゴヌクレオチド分子によって標的とされる遺伝子が、カルバペネム非感受性の機序に関連しないことを示し、検出可能な指標の欠如は、オリゴヌクレオチド分子によって標的とされる遺伝子が、カルバペネム非感受性の機序に関連していることを示す、前記工程と
を含む、方法。
【請求項３】
標的生物を検出するように設計されたアッセイにおいて、潜在的に交差反応性又は干渉性である生物の量を低下させる方法であって、
−  標的生物を検出するように設計されたアッセイにおいて、潜在的に交差反応性又は干渉性である少なくとも１つの生物を含む試料を提供する工程と；
−  前記交差反応性又は干渉性である生物を、潜在的に交差反応性又は干渉性である生物の生存能力に関与する少なくとも１つの特定核酸配列を標的とするオリゴヌクレオチド分子を含む少なくとも１つの化合物と接触させる工程であって、潜在的に交差反応性又は干渉性の前記特定核酸配列は前記生物に固有であり、前記潜在的に交差反応性又は干渉性である生物の生存能力を失わせる、前記工程と；
−  レポーター分子をコードするレポーター核酸分子を含む非複製性形質導入粒子（ＮＲＴＰ）が標的生物内に前記レポーター核酸分子を挿入し、かつ前記レポーター分子が標的生物の生存能力の検出可能な指標を提供するような条件下で、前記試料をＮＲＴＰと接触させる工程と
を含む、前記方法。
【請求項４】
前記標的生物が腸内細菌科の生物である、請求項３に記載の方法。
【請求項５】
前記潜在的に交差反応性又は干渉性である生物の生存能力に関与する前記少なくとも１つの特定核酸配列がｍｕｒＡ遺伝子である、請求項３又は４に記載の方法。
【請求項６】
前記抗菌剤に対する非感受性表現型に関与する前記少なくとも１つの特定核酸配列が、ｂｌａKPC-3遺伝子、ｂｌａNDM-1遺伝子、ｂｌａSHV-18遺伝子、及びｖａｎＣ遺伝子からなる群より選択される、請求項１に記載の方法。
【請求項７】
前記微生物が、腸内細菌科（family Enterobacteriaceae）、エンテロコッカス属（genus Enterococcus）、又はカンジダ属（genus Candida）の微生物である、請求項１又は６に記載の方法。
【請求項８】
前記抗菌剤がβ−ラクタム又はバンコマイシンである、請求項１、６、及び７のいずれか１項に記載の方法。
【請求項９】
前記オリゴヌクレオチド分子が配列番号２又は配列番号３からなる群より選択される、あるいは、前記オリゴヌクレオチド分子が配列番号４又は及び配列番号５を含むＣＲＩＳＰＲ／Ｃａｓシステムである、請求項２に記載の方法。
【請求項１０】
前記レポーター核酸分子が発光分子をコードする遺伝子である、請求項１〜９のいずれか１項に記載の方法。
【請求項１１】
前記ＮＲＴＰは、
宿主細菌細胞と、
前記宿主細菌細胞内にあり、非機能性パッケージング開始部位配列を有するバクテリオファージゲノムを含む第１の核酸構築体であって、ここで、前記非機能性パッケージング開始部位配列は、ＮＲＴＰ内へのバクテリオファージゲノムのパッケージングを防止する、前記第１の核酸構築体と、
前記宿主細菌細胞内にあり、かつ前記第１の核酸構築体から離れて存在し、レポーター遺伝子を有するレポーター核酸分子と、ＮＲＴＰへの前記レポーター核酸分子のレプリコンのパッケージングを促進する機能性パッケージング開始部位配列とを含む第２の核酸構築体であって、ここで、第２の核酸構築体上の機能性の第２のパッケージング開始部位配列は、前記第１の核酸構築体上のバクテリオファージゲノム内の非機能性パッケージング開始部位配列を補完する、前記第２の核酸構築体と、
を含む細菌細胞パッケージングシステムから製造される、請求項１〜１０のいずれか１項に記載の方法。
【請求項１２】
前記化合物が、ペプチド核酸（ＰＮＡ）、ペプチド−ＰＮＡ、ＣＲＩＳＰＲ  ＲＮＡ（ｃｒＲＮＡ）、アンチセンスオリゴヌクレオチド、及び二本鎖ＲＮＡ（ｄｓＲＮＡ）からなる群より選択される、請求項１〜８、１０、及び１１のいずれか１項に記載の方法。
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
配列番号４１に記載のアミノ酸配列を含む重鎖および配列番号４０に記載のアミノ酸配列を含む軽鎖を含む、抗ＣＤ４０抗体。
【請求項２】
請求項１に記載の抗ＣＤ４０抗体および医薬として許容される担体を含む、医薬組成物。
【請求項３】
請求項１に記載の抗ＣＤ４０抗体アミノ酸配列をコードする、単離された核酸。
【請求項４】
請求項３に記載の単離された核酸を含む、ベクター。
【請求項５】
請求項４に記載のベクターを含む、宿主細胞。
【請求項６】
原核細胞または真核細胞である、請求項５に記載の宿主細胞。
【請求項７】
ＣＨＯ細胞またはＣＯＳ細胞である、請求項６に記載の宿主細胞。
【請求項８】
請求項１に記載の抗ＣＤ４０抗体を産生する方法であって、請求項５から７のいずれか一項に記載の宿主細胞を、培養培地中、抗ＣＤ４０抗体が産生されるのに十分な条件下で培養するステップを含む、方法。
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
少なくとも１つの異種ＲＮＡｉ分子を含む非増殖性トランスジェニック微細藻類であって、前記ＲＮＡｉ分子が、異種生物体内に存在するポリヌクレオチドに標的化されており、前記微細藻類が前記異種生物体または前記異種生物体の宿主によって摂取されると、前記ＲＮＡｉ分子が、前記異種生物体内に存在する前記ポリヌクレオチドの発現をサイレンシングする、非増殖性トランスジェニック微細藻類。
【請求項２】
乾燥形態である、請求項１に記載の非増殖性トランスジェニック微細藻類。
【請求項３】
前記ＲＮＡｉ分子が、前記異種生物体に内在性のポリヌクレオチドおよび前記異種生物体に異種性のポリヌクレオチドからなる群より選択されるポリヌクレオチドに標的化されている、請求項１〜２のいずれか１項に記載の非増殖性トランスジェニック微細藻類。
【請求項４】
前記ＲＮＡｉ分子が、前記異種生物体に内在性のポリヌクレオチドに標的化されており、前記異種生物体が有害生物である、請求項３に記載の非増殖性トランスジェニック微細藻類。
【請求項５】
前記有害生物が、植物の有害生物および動物の有害生物からなる群より選択される、請求項４に記載の非増殖性トランスジェニック微細藻類。
【請求項６】
前記植物の有害生物が、直翅目、鱗翅目および鞘翅目からなる群より選択される目に属するものである、請求項５に記載の非増殖性トランスジェニック微細藻類。
【請求項７】
前記植物の有害生物が、サバクトビバッタ（Ｓｃｈｉｓｔｏｃｅｒｃａ  ｇｒｅｇａｒｉａ）およびトノサマバッタ（Ｌｏｃｕｓｔａ  ｍｉｇｒａｔｏｒｉａ）からなる群より選択されるバッタである、請求項６に記載の非増殖性トランスジェニック微細藻類。
【請求項８】
前記植物の有害生物がサバクトビバッタ（Ｓｃｈｉｓｔｏｃｅｒｃａ  ｇｒｅｇａｒｉａ）であり、前記ＲＮＡｉ分子が、配列番号１に記載される核酸配列を含むｃｌｋ遺伝子に標的化されている、請求項７に記載の非増殖性トランスジェニック微細藻類。
【請求項９】
前記ＲＮＡｉ分子が、配列番号２に記載される核酸配列またはそのフラグメントを含むセンス鎖と、前記配列番号２またはそのフラグメントに相補的なアンチセンス鎖と、を含む、請求項８に記載の非増殖性トランスジェニック微細藻類。
【請求項１０】
前記ＲＮＡｉ分子が、配列番号２に記載される核酸配列を含むセンス鎖と、配列番号６に記載される核酸配列を含むリンカー配列と、配列番号３に記載される核酸配列を含むアンチセンス鎖と、を含む、請求項９に記載の非増殖性トランスジェニック微細藻類。
【請求項１１】
前記ＲＮＡｉ分子が、前記異種生物体に内在性のポリヌクレオチドに標的化されており、前記異種生物体が、前記非増殖性トランスジェニック微細藻類を摂取する宿主動物の病原体である、請求項３に記載の非増殖性トランスジェニック微細藻類。
【請求項１２】
前記宿主動物が、魚類、甲殻類、家畜およびペットからなる群より選択される、請求項１１に記載の非増殖性トランスジェニック微細藻類。
【請求項１３】
前記宿主動物が魚類または甲殻類であり、前記病原体が、ウオジラミ目に属するカイアシ類である、請求項１２に記載の非増殖性トランスジェニック微細藻類。
【請求項１４】
前記宿主動物がサケ科魚類であり、前記病原体がウオジラミ（サケジラミ（Ｌｅｐｅｏｐｈｔｈｅｉｒｕｓ  ｓａｌｍｏｎｉｓ））である、請求項１２に記載の非増殖性トランスジェニック微細藻類。
【請求項１５】
前記宿主動物が家禽であり、前記病原体が、タンカクハジラミ科に属する家禽寄生虫である、請求項１２に記載の非増殖性トランスジェニック微細藻類。
【請求項１６】
前記ＲＮＡｉ分子が、前記異種生物体に異種性のポリヌクレオチドに標的化されており、前記標的化されたポリヌクレオチドが、前記異種生物体に感染するウイルスのものである、請求項３に記載の非増殖性トランスジェニック微細藻類。
【請求項１７】
前記異種生物体が、魚類、甲殻類、家畜およびペットからなる群より選択される、請求項１６に記載の非増殖性トランスジェニック微細藻類。
【請求項１８】
前記異種生物体が甲殻類であり、前記ウイルスがホワイトスポット症候群ウイルス（ＷＳＳＶ）である、請求項１７に記載の非増殖性トランスジェニック微細藻類。
【請求項１９】
前記トランスジェニック微細藻類が、可食性組成物および植物、動物またはその一部に適用される製剤からなる群より選択される形態に製剤化されており、
前記可食性組成物または前記製剤が、可食性の希釈剤、補形剤または担体からなる群より選択される物質をさらに含む、
請求項１〜１８のいずれか１項に記載の非増殖性トランスジェニック微細藻類。
【請求項２０】
生物体内でのポリヌクレオチドの発現を阻害するための方法であって、前記生物体内に存在する前記ポリヌクレオチドに標的化されたＲＮＡｉ分子を含む可食性の非増殖性トランスジェニック微細藻類を前記生物体に与えることを含む、方法。
【請求項２１】
前記生物体内に存在する前記ポリヌクレオチドが、前記生物体の内在遺伝子および前記生物体に異種性のポリヌクレオチドからなる群より選択される、請求項２０に記載の方法。
【請求項２２】
前記生物体が、植物の有害生物および動物の有害生物からなる群より選択される有害生物である、請求項２０〜２１のいずれか１項に記載の方法。
【請求項２３】
前記生物体内に存在する前記ポリヌクレオチドが、前記生物体に異種性のものであり、
前記ＲＮＡｉ分子が、前記生物体に感染するウイルスに標的化されている、
請求項２１に記載の方法。
【請求項２４】
生物体内でのポリヌクレオチドの発現を阻害するための方法であって、前記生物体内に存在する前記ポリヌクレオチドに標的化されたＲＮＡｉ分子を含む可食性の非増殖性トランスジェニック微細藻類を前記生物体の宿主に与えることを含む、方法。
【請求項２５】
前記宿主が、魚類、甲殻類、家畜およびペットからなる群より選択され、前記生物体が前記宿主の病原体である、請求項２４に記載の方法。
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
配列番号８７の配列を含む重鎖可変領域ＣＤＲ１、配列番号３１７の配列を含む重鎖可変領域ＣＤＲ２および配列番号８９の配列を含む重鎖可変領域ＣＤＲ３ならびに配列番号９０の配列を含む軽鎖可変領域ＣＤＲ１、配列番号９１の配列を含む軽鎖可変領域ＣＤＲ２および配列番号９２の配列を含む軽鎖可変領域ＣＤＲ３を含む、ヒトＯＸ４０と結合する単離された抗体。
【請求項２】
配列番号３１８の配列を含む重鎖可変領域および配列番号９４の配列を含む軽鎖可変領域を含む、ヒトＯＸ４０と結合する単離された抗体。
【請求項３】
配列番号１２４の配列を含む重鎖および配列番号１１６の配列を含む軽鎖を含む、ヒトＯＸ４０と結合する単離された抗体。
【請求項４】
重鎖および軽鎖定常領域を含む、請求項１または２に記載の抗体。
【請求項５】
重鎖定常領域が、Ｃ末端リシンを欠くか、またはＣ末端にリシン以外のアミノ酸を含む、請求項１から４のいずれか一項に記載の抗体。
【請求項６】
抗原特異的Ｔ細胞応答を刺激する、請求項１から５のいずれか一項に記載の抗体。
【請求項７】
Ｂｉａｃｏｒｅによって測定される場合、可溶性ヒトＯＸ４０と、１ｎＭ以下のＫＤで結合する、請求項１から６のいずれか一項に記載の抗体。
【請求項８】
ヒトＯＸ４０(配列番号２)の配列ＤＶＶＳＳＫＰＣＫＰＣＴＷＣＮＬＲ(配列番号１７８)の全てまたは一部分と結合する、請求項１から７のいずれか一項に記載の抗体。
【請求項９】
ＩｇＧ１アイソタイプである、請求項１から８のいずれか一項に記載の抗体。
【請求項１０】
ヒト抗体である、請求項１から９のいずれか一項に記載の抗体。
【請求項１１】
請求項１から１０のいずれか一項に記載の抗体の重鎖および／または軽鎖可変領域をコードする、核酸。
【請求項１２】
請求項１１に記載の核酸を含む、発現ベクター。
【請求項１３】
請求項１２に記載の発現ベクターで形質転換された細胞。
【請求項１４】
請求項１から１０のいずれか一項に記載の抗体と、担体とを含む、組成物。
【請求項１５】
１以上のさらなる治療薬をさらに含む、請求項１４に記載の組成物。
【請求項１６】
１以上のさらなる治療薬が、抗ＰＤ１抗体、抗ＰＤ−Ｌ１抗体、ＣＴＬＡ−４抗体およびそれらの組み合わせからなる群から選択される、請求項１５に記載の組成物。
【請求項１７】
癌を治療するための医薬の製造における、請求項１から１０のいずれか一項に記載の抗体の使用。
【請求項１８】
癌を治療するための医薬の製造における、請求項１４から１６のいずれか一項に記載の組成物の使用。
【請求項１９】
癌が、子宮頸癌、結腸直腸癌、膀胱癌および卵巣癌からなる群から選択される、請求項１７または１８に記載の使用。
【請求項２０】
ＯＸ４０と結合する単離されたモノクローナル抗体であって、
(ａ)それぞれ、配列番号１１〜１３の配列を含む重鎖可変領域ＣＤＲ１、ＣＤＲ２およびＣＤＲ３ならびにそれぞれ、配列番号１４〜１６の配列を含む軽鎖可変領域ＣＤＲ１、ＣＤＲ２およびＣＤＲ３、
(ｂ)それぞれ、配列番号１９〜２１の配列を含む重鎖可変領域ＣＤＲ１、ＣＤＲ２およびＣＤＲ３ならびにそれぞれ、配列番号２２〜２４の配列を含む軽鎖可変領域ＣＤＲ１、ＣＤＲ２およびＣＤＲ３、
(ｃ)それぞれ、配列番号１９〜２１の配列を含む重鎖可変領域ＣＤＲ１、ＣＤＲ２およびＣＤＲ３ならびにそれぞれ、配列番号２５〜２７の配列を含む軽鎖可変領域ＣＤＲ１、ＣＤＲ２およびＣＤＲ３、
(ｄ)それぞれ、配列番号３１〜３３の配列を含む重鎖可変領域ＣＤＲ１、ＣＤＲ２およびＣＤＲ３ならびにそれぞれ、配列番号３４〜３６の配列を含む軽鎖可変領域ＣＤＲ１、ＣＤＲ２およびＣＤＲ３、
(ｅ)それぞれ、配列番号３９〜４１の配列を含む重鎖可変領域ＣＤＲ１、ＣＤＲ２およびＣＤＲ３ならびにそれぞれ、配列番号４２〜４４の配列を含む軽鎖可変領域ＣＤＲ１、ＣＤＲ２およびＣＤＲ３、
(ｆ)それぞれ、配列番号３９〜４１の配列を含む重鎖可変領域ＣＤＲ１、ＣＤＲ２およびＣＤＲ３ならびにそれぞれ、配列番号４５〜４７の配列を含む軽鎖可変領域ＣＤＲ１、ＣＤＲ２およびＣＤＲ３、
(ｇ)それぞれ、配列番号５１〜５３の配列を含む重鎖可変領域ＣＤＲ１、ＣＤＲ２およびＣＤＲ３ならびにそれぞれ、配列番号５４〜５６の配列を含む軽鎖可変領域ＣＤＲ１、ＣＤＲ２およびＣＤＲ３、
(ｈ)それぞれ、配列番号５９〜６１の配列を含む重鎖可変領域ＣＤＲ１、ＣＤＲ２およびＣＤＲ３ならびにそれぞれ、配列番号６２〜６４の配列を含む軽鎖可変領域ＣＤＲ１、ＣＤＲ２およびＣＤＲ３、
(ｉ)それぞれ、配列番号６７〜６９の配列を含む重鎖可変領域ＣＤＲ１、ＣＤＲ２およびＣＤＲ３ならびにそれぞれ、配列番号７０〜７２の配列を含む軽鎖可変領域ＣＤＲ１、ＣＤＲ２およびＣＤＲ３、
(ｊ)それぞれ、配列番号７５〜７７の配列を含む重鎖可変領域ＣＤＲ１、ＣＤＲ２およびＣＤＲ３ならびにそれぞれ、配列番号７８〜８０の配列を含む軽鎖可変領域ＣＤＲ１、ＣＤＲ２およびＣＤＲ３であって、適宜、配列番号７６中のＡｓｐ−Ｇｌｙ配列が、異性化を受けていないアミノ酸配列と置換されている、配列、
(ｋ)それぞれ、配列番号７５〜７７の配列を含む重鎖可変領域ＣＤＲ１、ＣＤＲ２およびＣＤＲ３ならびにそれぞれ、配列番号８１〜８３の配列を含む軽鎖可変領域ＣＤＲ１、ＣＤＲ２およびＣＤＲ３、または
(ｌ)それぞれ、配列番号８７〜８９の配列を含む重鎖可変領域ＣＤＲ１、ＣＤＲ２およびＣＤＲ３ならびにそれぞれ、配列番号９０〜９２の配列を含む軽鎖可変領域ＣＤＲ１、ＣＤＲ２およびＣＤＲ３配列
を含む、単離されたモノクローナル抗体。
【請求項２１】
癌を治療するための医薬の製造における抗ＰＤ−１抗体ニボルマブと組み合わせる、請求項１から１０および２０のいずれか一項に記載の抗体の使用。
【請求項２２】
癌を治療するための医薬の製造における抗ＣＴＬＡ−４抗体イピリムマブと組み合わせる、請求項１から１０および２０のいずれか一項に記載の抗体の使用。
【請求項２３】
癌を治療するための医薬の製造における抗ＰＤ−１抗体ニボルマブおよび抗ＣＴＬＡ−４抗体イピリムマブと組み合わせる、請求項１から１０および２０のいずれか一項に記載の抗体の使用。
【請求項２４】
請求項１３に記載の細胞を適した条件下で培養することおよび抗体を単離することを含む、ヒトＯＸ４０と結合する抗体を製造する方法。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
（ａ）（ｉ）イントロンマイクロＲＮＡ（ｍｉＲＮＡ）を含む出力メッセンジャーＲＮＡ（ｍＲＮＡ）をコードするヌクレオチド配列、および
（ｉｉ）（ａ）（ｉ）のｍｉＲＮＡに相補的な少なくとも１つのｍｉＲＮＡ結合部位をコードするヌクレオチド配列に作動可能に連結されたプロモータを含む第１の核酸、および
（ｂ）（ａ）（ｉ）のｍｉＲＮＡに相補的な少なくとも１つのｍｉＲＮＡ結合部位をコードするヌクレオチド配列に作動可能に連結されたプロモータを含む第２の核酸
を含む操作された遺伝子回路。
【請求項２】
出力ｍＲＮＡが、合成Ｔ細胞エンゲージャー（engager）（ＳＴＥ）または二重特異性Ｔ細胞エンゲージャー（engager）（ＢｉＴＥ）をコードする、請求項１に記載の操作された遺伝子回路。
【請求項３】
出力ｍＲＮＡが、Ｔ細胞表面マーカーに結合する出力タンパク質をコードする、請求項１に記載の操作された遺伝子回路。
【請求項４】
Ｔ細胞表面マーカーが、ＣＤ３、ＣＤ４、ＣＤ８またはＣＤ４５である、請求項３に記載の操作された遺伝子回路。
【請求項５】
出力タンパク質が、Ｔ細胞表面抗原に特異的に結合する抗体または抗体フラグメントである、請求項１〜４のいずれか一項に記載の操作された遺伝子回路。
【請求項６】
出力ｍＲＮＡが抗がん剤をコードする、請求項１〜５のいずれか一項に記載の操作された遺伝子回路。
【請求項７】
抗がん剤がケモカイン、サイトカインまたはチェックポイント抑制剤である、請求項６に記載の操作された遺伝子回路。
【請求項８】
（ａ）および／または（ｂ）のプロモータが誘導型のプロモータであり、任意に（ａ）および／または（ｂ）のプロモーターが、腫瘍特異的プロモーターまたは癌プロモーターであり、任意に（ａ）および／または（ｂ）のプロモーターが、ＳＳＸ１またはＨ２Ａ１である、請求項１〜７のいずれか一項に記載の操作された遺伝子回路。
【請求項９】
（ａ）（ｉｉ）のヌクレオチド配列が、（ａ）（ｉ）のｍｉＲＮＡに相補的な２〜５個のｍｉＲＮＡ結合部位をコードし、および／または（ｂ）のヌクレオチド配列が、（ａ）（ｉ）のｍｉＲＮＡに相補的な２〜１０個のｍｉＲＮＡ結合部位をコードする、請求項１〜８のいずれか一項に記載の操作された遺伝子回路。
【請求項１０】
（ｉ）イントロンマイクロＲＮＡ（ｍｉＲＮＡ）を含む追加の出力メッセンジャーＲＮＡ（ｍＲＮＡ）をコードするヌクレオチド配列、および（ｉｉ）、（ａ）（ｉ）のｍｉＲＮＡに相補的な少なくとも１つのｍｉＲＮＡ結合部位をコードするヌクレオチド配列に作動可能に連結されたプロモータを含む核酸をさらに含む、ここで、追加の出力ｍＲＮＡが、ケモカイン、サイトカイン、チェックポイント抑制剤またはそれらの組み合わせをコードする、請求項１〜９のいずれか一項に記載の操作された遺伝子回路。
【請求項１１】
請求項１〜１０のいずれか一項に記載の少なくとも１つの操作された遺伝子回路を含む細胞であって、任意に細胞が腫瘍細胞である請求項１〜１０のいずれか一項に記載の操作された遺伝子回路。
【請求項１２】
腫瘍を有する対象に、請求項１〜１０のいずれか１項に記載の操作された遺伝子回路を少なくとも１つ投与することを含み、任意に対象が、卵巣がん、乳がんまたは肺がんを有する方法。
【請求項１３】
操作された遺伝子回路が、非ウイルス送達システムまたはウイルス送達システムを使用して送達され、任意に、遺伝子操作された遺伝子回路がウイルス送達系を使用して送達され、ウイルス送達系はレンチウイルス送達系、アデノウイルス送達系またはアデノ随伴ウイルス送達系である、請求項１２に記載の方法。
【請求項１４】
操作された遺伝子回路の少なくとも１つの出力ｍＲＮＡが、Ｔ細胞表面マーカーに結合する出力タンパク質をコードし、少なくとも１つの他の操作された遺伝子回路の出力ｍＲＮＡが、ケモカイン、サイトカインまたはチェックポイント抑制剤をコードする、請求項１２または１３に記載の方法。
【請求項１５】
複数の核酸を含む合成プロモータ・ライブラリーであって、各核酸は、各８ｍｅｒのヌクレオチド配列の間にいかなるスペーサーヌクレオチドを伴わずに直列に少なくとも２つの８ｍｅｒのヌクレオチド配列を有するプロモータ配列を含む、前記合成プロモータ・ライブラリー。
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
登録番号ＣＥＣＴ ８８００を持つ乳酸菌Ｌａｃｔｏｂａｃｉｌｌｕｓ  ｒｈａｍｎｏｓｕｓ。
【請求項２】
請求項１に記載の細菌を含む栄養組成物または医薬組成物。
【請求項３】
前記組成物が、前記組成物のグラム当たり１０４〜１０１４ｃｆｕ（コロニー形成単位）の範囲にある濃度の生細胞を有しており、好ましくは生細胞の前記濃度が前記組成物のグラム当たり１０６〜１０１３ｃｆｕ（コロニー形成単位）の範囲にある請求項２に記載の栄養組成物または医薬組成物。
【請求項４】
前記組成物が、凍結形態、乾燥形態または凍結乾燥形態で前記細菌を含む請求項１〜３のいずれかに記載の栄養組成物または医薬組成物。
【請求項５】
前記組成物が凍結乾燥形態で前記細菌を含み、前記組成物が好適な凍結保護剤（たとえば、マルトデキストリン）も含む請求項４に記載の栄養組成物または医薬組成物。
【請求項６】
前記組成物が経口摂取または膣投与に好適である請求項１〜５のいずれかに記載の栄養組成物または医薬組成物。
【請求項７】
前記組成物が、膣投与のための坐薬、膣カプセル剤の形態である、または経口投与用の被覆されたカプセル剤、錠剤、サシェ、丸薬、シンジュ、バイアル、ヨーグルト、ヨーグルト飲料、発酵乳、ジュース、及び他の発酵させた飲料及び食物としての形態である請求項６に記載の栄養組成物または医薬組成物。
【請求項８】
前記組成物が、薬学上許容できる補助剤及び／または賦形剤も含む医薬組成物である請求項１〜７のいずれかに記載の栄養組成物または医薬組成物。
【請求項９】
女性における疾病の治療で使用するための、その際、前記疾病が、天然に存在する膣細菌微生物叢の不均衡、膣感染症、女性生殖器の感染症、泌尿生殖器の感染症、または尿路感染症である、請求項２〜８のいずれかに記載の栄養組成物または医薬組成物。
【請求項１０】
前記疾病が、膣症、膣炎、慢性細菌性膣炎、慢性酵母感染症、閉経における慢性尿路感染症、萎縮性膣炎、膣症または細菌性膣炎である請求項９に記載の栄養組成物または医薬組成物。
【請求項１１】
前記感染症が細菌性膣炎である請求項１０に記載の栄養組成物または医薬組成物。
【請求項１２】
製品が請求項２〜８に記載の栄養組成物を含有することを特徴とするヒトの栄養摂取のための乳製品、飲料製品、食品及び／または動物の栄養摂取のための飼料製品。
【請求項１３】
発酵させた食品または発酵させた飼料製品を製造する方法であって、請求項１に記載の任意の乳酸菌Ｌａｃｔｏｂａｃｉｌｌｕｓ  ｒｈａｍｎｏｓｕｓを食品または飼料製品の出発材料に添加することと、こうして植菌した前記出発材料を前記乳酸菌が代謝上活性のある条件下で保持することとを含む、方法。
【請求項１４】
登録番号ＣＥＣＴ ８８００を持つ乳酸菌Ｌａｃｔｏｂａｃｉｌｌｕｓ  ｒｈａｍｎｏｓｕｓの変異体株を得る方法であって、以下の工程：
（ｉ）登録番号ＣＥＣＴ ８８００を持つ乳酸菌Ｌ．ｒｈａｍｎｏｓｕｓの変異体を作製することと、
（ｉｉ）工程（ｉ）で作製された変異体を分析し、ｐＨレベルを下げるＣＥＣＴ ８８００の能力を保持しているまたはさらに改善している変異体株を特定すること、及び
（ｉｉｉ）工程（ｉｉ）で特定された前記変異体株を単離し、それによって登録番号ＣＥＣＴ ８８００を持つ乳酸菌Ｌ．ｒｈａｍｎｏｓｕｓの前記変異体を得ることとを含み、その際、前記変異体株はｐＨレベルを下げるＣＥＣＴ ８８００の前記能力を保持しているまたはさらに改善している、方法。
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
配列番号１０、２、４、６、８、１２、１４または１６に記載されている配列を含むポリペプチド配列と少なくとも９０％の配列同一性を有する、組換えシトクロムＰ４５０−ＢＭ３バリアント。
【請求項２】
少なくとも３つの有機基質を酸化する、請求項１に記載の組換えシトクロムＰ４５０−ＢＭ３バリアント。
【請求項３】
前記有機基質が、ロラタジン、イマチニブ、ゲフィチニブおよびジクロフェナクから選択される、請求項２に記載の組換えシトクロムＰ４５０−ＢＭ３バリアント。
【請求項４】
請求項１に記載の組換えシトクロムＰ４５０−ＢＭ３バリアントをコードする、組換えポリヌクレオチド配列。
【請求項５】
配列番号９、１、３、５、７、１１、１３または１５を含む、請求項４に記載の組換えポリヌクレオチド配列。
【請求項６】
請求項４または５に記載のポリヌクレオチド配列を含む、発現ベクター。
【請求項７】
前記ポリヌクレオチド配列が、好適な宿主細胞において、該ポリヌクレオチド配列の発現に好適な調節配列と作動可能に連結した、請求項６に記載のベクター。
【請求項８】
前記宿主細胞が、原核細胞または真核細胞である、請求項６および／または７に記載のベクター。
【請求項９】
前記宿主細胞が、原核細胞である、請求項８に記載のベクター。
【請求項１０】
前記宿主細胞が、Ｅ．ｃｏｌｉである、請求項８および／または９に記載のベクター。
【請求項１１】
請求項６および／または７に記載のベクターを含む、宿主細胞。
【請求項１２】
少なくとも１つの組換えシトクロムＰ４５０−ＢＭ３バリアントを生成するための方法であって、請求項１１に記載の宿主細胞を、請求項１から３のいずれかに記載の組換えシトクロムＰ４５０−ＢＭ３バリアントが該宿主細胞によって生成されるような条件下で、培養するステップを含む、方法。
【請求項１３】
前記少なくとも１つの組換えシトクロムＰ４５０バリアントを回収するステップをさらに含む、請求項１２に記載の方法。
【手続補正２】
【補正対象書類名】明細書
【補正対象項目名】０１１７
【補正方法】変更
【補正の内容】
【０１１７】
アメリカ合衆国においてあらゆる目的のために、本開示で引用されているありとあらゆる刊行物および特許文書は、各そのような刊行物または文書が、参照により本明細書に組み込まれることが具体的にかつ個々に示されているかの如く、参照により本明細書に組み込まれる。刊行物および特許文書の引用は、任意のそのような文書が関連のある先行技術であることを示すものとして意図されてもいないし、その内容または日付について認可を構成するものでもない。
例えば、本発明の実施形態の例として以下の項目が挙げられる。
（項目１）
配列番号２、４、６、８、１０、１２、１４または１６に記載されている配列を含むポリペプチド配列と少なくとも９０％の配列同一性を有する、組換えシトクロムＰ４５０−ＢＭ３バリアント。
（項目２）
少なくとも３つの有機基質を酸化する、項目１に記載の組換えシトクロムＰ４５０−ＢＭ３バリアント。
（項目３）
前記有機基質が、ロラタジン、イマチニブ、ゲフィチニブおよびジクロフェナクから選択される、項目２に記載の組換えシトクロムＰ４５０−ＢＭ３バリアント。
（項目４）
項目１に記載の組換えシトクロムＰ４５０−ＢＭ３バリアントをコードする、組換えポリヌクレオチド配列。
（項目５）
配列番号１、３、５、７、９、１１、１３または１５を含む、項目４に記載の組換えポリヌクレオチド配列。
（項目６）
項目４または５に記載のポリヌクレオチド配列を含む、発現ベクター。
（項目７）
前記ポリヌクレオチド配列が、好適な宿主細胞において、該ポリヌクレオチド配列の発現に好適な調節配列と作動可能に連結した、項目６に記載のベクター。
（項目８）
前記宿主細胞が、原核細胞または真核細胞である、項目６および／または７に記載のベクター。
（項目９）
前記宿主細胞が、原核細胞である、項目８に記載のベクター。
（項目１０）
前記宿主細胞が、Ｅ．ｃｏｌｉである、項目８および／または９に記載のベクター。
（項目１１）
項目６および／または７に記載のベクターを含む、宿主細胞。
（項目１２）
少なくとも１つの組換えシトクロムＰ４５０−ＢＭ３バリアントを生成するための方法であって、項目１１に記載の宿主細胞を、項目１から３のいずれかに記載の組換えシトクロムＰ４５０−ＢＭ３バリアントが該宿主細胞によって生成されるような条件下で、培養するステップを含む、方法。
（項目１３）
前記少なくとも１つの組換えシトクロムＰ４５０バリアントを回収するステップをさらに含む、項目１２に記載の方法。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
以下を含む、非ヒト動物宿主において、ヒト組織若しくは器官を生成する方法:
(i) ヒトのナイーブ状態の幹細胞を生成し、キメラ動物が生成されるように、非ヒト動物宿主の分化している胎児、胚、桑実胚、胚盤胞若しくは受精卵にそれらを移入すること;
(ii) 該キメラ動物から、ヒト組織若しくは細胞によって分泌された若しくは作られた因子、ヒト細胞、器官、若しくは組織を回収すること;
(iii)ヒトへ、ヒト組織の生成に帰着する、前記回収された材料を、移植する若しくは投与すること。
【請求項２】
請求項１に記載の方法であって、そこではナイーブ状態の幹細胞は、NME7、NME7-AB、NME7-X1、NME6あるいは二量体NME1を使用して生成される、方法。
【請求項３】
請求項２に記載の方法であって、そこではナイーブ幹細胞は、NME7、NME7-AB、NME6、NME7-X1あるいは二量体NME1を含んでいる培地中で、再プログラムされたiPS細胞である、方法。
【請求項４】
請求項２に記載の方法であって、そこではナイーブ幹細胞は、NME7、NME7-AB、NME6、NME7-X1あるいは二量体NME1を含んでいる培地中で培養された胚性幹細胞である、方法。
【請求項５】
請求項１に記載の方法であって、そこでは胚盤胞若しくは胚の非ヒト-細胞が遺伝子変異されている、方法。
【請求項６】
請求項５に記載の方法であって、そこでは該遺伝子変異は、宿主動物がある組織若しくは器官を生成することができないものとなる、方法。
【請求項７】
請求項１に記載の方法であって、そこではナイーブ状態で幹細胞を維持する若しくはナイーブ状態へ刺激を受けた（プライム）幹細胞を振り向ける作用薬が、NMEタンパク質、2i、5i、化学薬品若しくは核酸である、方法。
【請求項８】
請求項７に記載の方法であって、そこではNMEタンパク質は、NME1二量体、NME7モノマー、NME7-AB、NME6二量体あるいはバクテリアNMEである、方法。
【請求項９】
請求項１に記載の方法であって、そこでは非ヒト動物は、げっ歯動物、ブタ・ウシ、羊あるいは霊長類である、方法。
【請求項１０】
請求項９に記載の方法であって、そこではげっ歯動物はマウス若しくはラットである、方法。
【請求項１１】
請求項３に記載の方法であって、NMEタンパク質が、単一の成長因子としての無血清培地中に存在する、方法。
【請求項１２】
請求項１の方法であって、そこでは非ヒト動物宿主が、生成されるべき幹細胞の種の天然の配列に相同の配列をもつNMEタンパク質を発現する、方法。
【請求項１３】
請求項１２に記載の方法であって、そこではNMEタンパク質は、NME7、NME7-AB、NME7-X1、あるいは二量体NME1あるいはNME6である、方法。
【請求項１４】
請求項１３に記載の方法であって、そこではNMEタンパク質はNME7である、方法。
【請求項１５】
請求項１２に記載の方法であって、そこではNMEタンパク質は、生成されるべき幹細胞の種の天然NMEタンパク質配列に少なくとも45%、50%、55%、60%、65%、70%、75%、80%、85%、90%あるいは95％相同である、方法。
【請求項１６】
請求項１４に記載の方法であって、そこではNMEタンパク質は、生成されるべき幹細胞の種の天然配列に少なくとも60%相同である、方法。
【請求項１７】
請求項１４に記載の方法であって、そこではNMEタンパク質は、生成されるべき幹細胞の種の天然配列に少なくとも70%相同である、方法。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
対象とする哺乳類の体腔に挿入可能、保持可能、及び前記体腔から抜去可能な送達デバイスであって、
弾性フレームと、
１つ以上の含浸質量であって、約０．１〜約０．８ｍｍの厚さを有し、前記対象とする哺乳類内における挿入及び保持時に前記対象とする哺乳類に送達するための１種以上の活性剤を含浸させた１つ以上の含浸質量と、
を含み、
前記１つ以上の含浸質量のそれぞれは、少なくとも２つ以上の別個の取付箇所において前記弾性フレームにより支持されている、
送達デバイス。
【請求項２】
前記含浸質量（単数）又は質量（複数）は、
ａ）実質的に層状であり、したがって２つの対向する面を含む、又は、
ｂ）平面である、又は
ｃ）フレームの隆起、ボス又はランドに係合するための開口部、スカラップ又は隆起を含む、又は
ｄ）ポリマーから形成されている、又は
ｅ）１種以上の活性剤を含む、又は
ｆ）（ａ）から（ｅ）までの任意の組み合わせである、
請求項１に記載の送達デバイス。
【請求項３】
前記フレームは、
ａ）体腔内に保持されたときに前記含浸質量（単数）又は質量（複数）の各面の実質的に全てを呈して前記体腔の流体に曝露させる、
ｂ）「Ｔ」、「ｔ」、「Ｙ」、「Ｖ」、「Ｃ」、「Ｘ」若しくは「Ｍ」字形、又は叉骨形、凧形若しくは菱形の形態である、又は
ｃ）展開及び非展開状態を有する、又は
ｄ）当該デバイスの本体からの１つ以上の突起を含む、又は
ｅ）ランド又はボスを含み、前記ランド又はボスの上において、前記１つ以上の含浸質量が前記フレームに対し保持される１つの面の一部を含む、又は
ｆ）前記１つ以上の含浸質量を支持するための骨格フレームの形態である、又は
ｇ）ポリマーから形成されている、又は
ｈ）（ａ）から（ｇ）までの任意の組み合わせである、
請求項１又は２に記載の送達デバイス。
【請求項４】
前記ポリマーは、ポリカーボネート、ポリエチレン、ポリプロピレン、ナイロン、及びこれらの組み合わせから選択される、請求項３に記載の送達デバイス。
【請求項５】
ａ）  約２〜約１０ｇのポリマー、又は、
ｂ）  約１〜約８ｃｍ３のポリマー
を含む、請求項３又は４に記載の送達デバイス。
【請求項６】
前記含浸質量（単数）又は質量（複数）の表面積対ポリマーの比は、１２：１（表面積：ポリマーの質量）〜６０：１ｃｍ２．ｇ−１である、請求項３〜５のいずれか一項に記載の送達デバイス。
【請求項７】
前記ポリマーは、非分解性熱硬化性ポリマー、非分解性熱可塑性ポリマー、生分解性ポリマー、又はこれらの組み合わせから選択される、請求項３〜６のいずれか一項に記載の送達デバイスであって、例えば、前記ポリマーは、シリコーン、エチレン酢酸ビニル、ポリカプロラクトン、天然（ラテックス）ゴム、スチレンブタジエンゴム、ポリウレタン、ポリアミド（ナイロン）、低密度ポリエチレン（ＬＤＰＥ）、高密度ポリエチレン（ＨＤＰＥ）、ポリプロピレン、ポリカーボネート、ポリエステル、ポリアクリロニトリル、ポリオレフィン、ポリメタクリル酸メチルなどのアクリル樹脂、ポリ塩化ビニル、ポリフッ化ビニル、ポリメタクリレート、耐衝撃性ポリスチレン、ポリスチレン、ポリスルホン、ポリブタジエン、ポリアリールエヘテルケトン、ポリエチレンテレフタレート（ＰＥＴ）、ポリグリコール酸、ポリ乳酸、ポリラティック−グリコール酸共重合体、デンプン、ポリブチレンサクシネート、ポリｐ−ジオキサン、ポリ−３−ヒドロキシブチレート、又はこれらの組み合わせから形成してよい、送達デバイス。
【請求項８】
前記１つ以上の含浸質量のうち少なくとも１つが約０．１〜約０．９５ｍｍの厚さを有する、請求項１〜７のいずれか一項に記載の送達デバイス。
【請求項９】
前記又は各含浸質量は約１〜約７５重量％の前記活性剤を含む、請求項１〜８のいずれか一項に記載の送達デバイス。
【請求項１０】
前記含浸質量は実質的に同じ表面積を持つ少なくとも２つの表面を有し、哺乳類への挿入時、両表面積は体腔の流体に実質的に曝露され、かつ、哺乳類への挿入時、両表面の前記表面積の少なくとも７０〜約９５％が体腔の流体に曝露される、請求項１〜９のいずれか一項に記載の送達デバイス。
【請求項１１】
対象とする哺乳類の体腔に挿入するための送達デバイスを製造する方法であって、
弾性フレームを用意するステップと、
０．９５ｍｍ未満、より好ましくは約０．１〜約０．８ｍｍの厚さを有する含浸質量を成形するステップと、
前記成形した含浸質量が前記弾性フレームにより少なくとも２つ以上の別個の取付箇所において支持されるように、前記成形した含浸質量を前記弾性フレームに取り付けるステップと、
を含む、方法。
【請求項１２】
請求項１１に記載の方法であって、１つ以上の前記成形した含浸質量は、
ａ）圧縮成形、押出成形、鋳込成形、又は射出成形によって製造される、又は
ｂ）前記フレームへの取り付けを容易にするための少なくとも２つ以上のスリット、アパーチャ、又は開口部を含む、又は
ｃ）それぞれ前記フレームに取り付けられる、又は
ｄ）前記フレーム上に前記１つ以上の質量の任意の面領域が着座した状態で又は全く着座することなく前記フレームにより保持される、
ｅ）前記フレームの外側に保持される、又は
ｆ）前記フレーム内部に保持される、又は
ｇ）（ａ）から（ｆ）までの任意の組み合わせである、
方法。
【請求項１３】
前記取付用開口部は前記含浸質量内に成形される、請求項１１又は１２に記載の方法。
【請求項１４】
前記１つ以上の成形した含浸質量は前記フレームに取り付けられるが、前記フレームから間隔をおいて配置される、請求項１１〜１３のいずれか一項に記載の方法。
【請求項１５】
哺乳類から前記送達デバイスを抜去後、前記１つ以上の含浸質量は最初の活性剤充填量の約４０重量％未満を含み、有効範囲は、これら値のいずれかの間で選択してもよい、請求項１１〜１４のいずれか一項に記載の方法。
【誤訳訂正書】
【提出日】令和1年6月12日(2019.6.12)
【誤訳訂正１】
【訂正対象書類名】明細書
【訂正対象項目名】００２７
【訂正方法】変更
【訂正の内容】
【００２７】
いくつかの実施形態では、コアは複数の山部および谷部により画定される波形構造を備える。特定の実施形態では、コアはばらの繊維を取り囲む不織布ラップを備える。
【誤訳訂正２】
【訂正対象書類名】特許請求の範囲
【訂正対象項目名】全文
【訂正方法】変更
【訂正の内容】
【特許請求の範囲】
【請求項１】
天然繊維を含む不織布内層と、
天然繊維および処理剤を含む不織布外層であって、前記処理剤が、当該不織布外層の少なくとも１つの表面に適用されるワックス、ウレタン、シリコーン、フルオロカーボン、非フルオロケミカル撥水剤からなる群から選択される少なくとも１種の化合物を含む不織布外層と、
前記内層と前記外層との間に配置される天然繊維または繊維性材料を含むコアと、を備える使い捨て吸収性物品。
【請求項２】
前記吸収性物品が、おむつ（ｄｉａｐｅｒ）、おむつ（ｎａｐｐｙ）、吸収性パンツ、トレーニングパンツ、成人用失禁製品、ペット用失禁製品、女性用衛生製品、創傷包帯、および胸パッドからなる群から選択される、請求項１に記載の吸収性物品。
【請求項３】
前記コアが、ポリアクリレート超吸収性粒子（ＳＡＰ）を含む、請求項１に記載の吸収性物品。
【請求項４】
前記内層と前記コアとの間に、ポリ乳酸から構成される獲得／分散層をさらに備える、請求項１に記載の吸収性物品。
【請求項５】
前記コアが、複数の山部および谷部により画定される波形構造を備える、請求項１に記載の吸収性物品。
【請求項６】
前記コアが、ばらの繊維を取り囲む不織布ラップを備える、請求項１に記載の吸収性物品。
【請求項７】
前記外層処理剤が、デンドリマーワックスを含む、請求項１に記載の吸収性物品。
【請求項８】
前記処理剤が、前記外層の前記上部表面に適用される、請求項１に記載の吸収性物品。
【請求項９】
前記内層が、複数の細孔を含む、請求項１に記載の吸収性物品。
【請求項１０】
少なくとも１つの層が、約０．１％〜約１０％の亜鉛、銅、銀、またはアルミニウム塩を含む脱臭組成物を含む、請求項１に記載の吸収性物品。
【請求項１１】
約０．１％と約１０％とのリシノール酸亜鉛を含む、請求項１０に記載の吸収性物品。
【請求項１２】
前記脱臭組成物が、
エトキシ化アルコール、エトキシ化グリコール、エトキシ化油、アクリル酸のポリマーまたはコポリマー、およびこれらの組み合わせからなる群から選択される少なくとも１種の化合物と、
第一級、第二級および第三級アルコール、ならびにこれらの組み合わせからなる群から選択される少なくとも１種の乾燥剤と、をさらに含む、請求項１１に記載の吸収性物品。
【請求項１３】
生分解性おむつであって、
綿を含む不織布内層と、
ワックス、ウレタン、シリコーン、フルオロカーボン、および非フルオロケミカル撥水剤、ならびにこれらの組み合わせからなる群から選択される疎水性剤で処理される綿を含む外層と、
前記内層と前記外層との間に配置される綿およびポリアクリレート超吸収性粒子を含む吸収性コアと、を備える、おむつ。
【請求項１４】
前記内層が、複数の細孔を含む、請求項１３に記載のおむつ。
【請求項１５】
前記コアと前記外層との間、または前記コアと前記内層との間のうちの少なくとも一方に配置されるポリ乳酸フィルムをさらに備える、請求項１３に記載のおむつ。
【請求項１６】
デンドリマーワックスまたはデンドリマーワックスエマルションからなる処理剤が、前記外層に適用される、請求項１３に記載のおむつ。
【請求項１７】
前記処理剤が、１００重量％〜２００重量％追加して前記外層に適用される、請求項１６に記載のおむつ。
【請求項１８】
前記処理剤が、前記外層の前記上部表面にのみ適用される、請求項１３に記載のおむつ。
【請求項１９】
前記外層の後部から延びる一対の側部フラップをさらに備え、前記フラップが、前記外層の前部に前記フラップを固定することができるポリ乳酸締結具を含む、請求項１３に記載のおむつ。
【請求項２０】
前記おむつが、ＡＳＴＭ試験法Ｄ５５１１−１２、ＡＳＴＭ試験法５３３８−１５、およびＩＳＯ  ＣＤ試験法１４８５５−１：２０１２のうちの少なくとも１つに合格する、請求項１３に記載のおむつ。
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
吸入可能な液体の貯留及び患者への送出のための吸入器デバイスであって、前記装置が、
（１）第１の端部及び第２の端部を有する密封された長尺本体であって、前記密封された長尺本体が再密封可能、部分的に再密封可能、又は、再密封不可能である、長尺本体と、
（２）前記長尺本体の前記第１の端部を密封するための第１の端部シールと、
（３）前記長尺本体の前記第２の端部を密封するための第２の端部シールと、
（４）吸入可能な液体が予め充填された受動蒸発支持材料と、
を備え、
前記第１の端部シール及び前記第２の端部シールが再密封可能な端部シール又は再密封不可能な端部シールから独立に選択され、更に、吸入可能な液体が貯留時に蒸気を形成するにつれて、前記長尺本体は、前記第１及び第２の端部シールの開放時に貯留された蒸気を患者に直接に投与するために利用できるように蒸気チャンバを形成する、吸入器デバイス。
【請求項２】
（１）第１の端部及び第２の端部を有する密封された長尺本体であって、前記密封された長尺本体が再密封可能、部分的に再密封可能、又は、再密封不可能である、長尺本体、
（２）前記長尺本体の前記第１の端部を密封するための第１の端部シール、
（３）前記長尺本体の前記第２の端部を密封するための第２の端部シール、及び、
（４）吸入可能な液体が予め充填された受動蒸発支持材料、
のみから成り、
前記第１の端部シール及び前記第２の端部シールが再密封可能な端部シール又は再密封不可能な端部シールから独立に選択され、更に、吸入可能な液体が貯留時に蒸気を形成するにつれて、前記長尺本体は、前記第１及び第２の端部シールの開放時に貯留された蒸気を患者に直接に投与するために利用できるように蒸気チャンバを形成する、請求項１に記載の吸入器。
【請求項３】
前記密封された長尺本体が部分的に再密封可能であり、前記第１の端部シールが再密封可能であり、前記第２の端部シールが再密封不可能であり、逆もまた同様である請求項１又は２に記載の吸入器。
【請求項４】
一方の密封端部は、少なくとも１つの空気入口開口を備える空気入口端部として機能するようになっており、他方の密封端部は、少なくとも１つの蒸気吸入開口を備えるマウスピース端部として機能するようになっている請求項１から３のいずれか一項に記載の吸入器。
【請求項５】
前記再密封可能な端部シールは、プラグ、エンドキャップ、又は、少なくとも１つの空気入口開口を備える調整可能エンドキャップから独立に選択される請求項１から４のいずれか一項に記載の吸入器。
【請求項６】
前記再密封可能な端部シールは、溝又は穴から選択される少なくとも１つの空気入口開口を備える調整可能エンドキャップであり、前記溝又は穴は、前記調整可能エンドキャップが開放されるときに空気入口開口を形成するようになっている請求項５に記載の吸入器。
【請求項７】
前記調整可能エンドキャップは、前記装置の前記長尺本体の残りの部分と回転可能に係合するように着脱自在に締結される請求項５又は６に記載の吸入器。
【請求項８】
前記調整可能エンドキャップは、貯留モードのための前記装置の密封及び再密封を助けるための詰め物挿入体を備える請求項５から７のいずれか一項に記載の吸入器。
【請求項９】
前記エンドキャップは、前記装置の前記長尺本体の残りの部分と回転可能に係合するように着脱自在に締結される請求項５に記載の吸入器。
【請求項１０】
前記エンドキャップは、貯留モードのための前記装置の密封及び再密封を助けるための詰め物挿入体を備える請求項５又は請求項９に記載の吸入器。
【請求項１１】
前記プラグは、厳しい公差の嵌合によって前記長尺本体と着脱可能に締結される請求項５に記載の吸入器。
【請求項１２】
前記再密封不可能な端部シールがクラウンシールである請求項１から１１のいずれか一項に記載の吸入器。
【請求項１３】
前記再密封不可能な端部シールがリングプルクラウンキャップである請求項１から１１のいずれか一項に記載の吸入器。
【請求項１４】
前記再密封不可能な端部シールが蒸気不透過性フィルム又は箔である請求項１から１１のいずれか一項に記載の吸入器。
【請求項１５】
前記吸入可能な液体がハロゲン化揮発性液体であり、好ましくは鎮痛剤として使用するためのメトキシフルランであり、好ましくは１５ｍＬ未満の送出用量である請求項１から１４のいずれか一項に記載の吸入器。
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
吸入可能な液体の貯留及び患者への送出のための吸入器デバイスであって、前記装置がパック形状本体を備え、前記パック形状本体が、
（１）吸入可能な液体が予め充填された受動蒸発支持材料を備えるレセプタクルと、
（２）レセプタクル蓋と、
（３）少なくとも１つの空気入口開口と、
（４）少なくとも１つの蒸気吸入開口と、
を備え、
吸入可能な液体を貯留するために前記レセプタクル蓋が閉じられるときに前記空気入口開口及び前記蒸気吸入開口が閉鎖位置にあり、更に、吸入可能な液体が貯留時に蒸気を形成するにつれて前記パック形状本体が蒸気チャンバを形成し、それにより、前記空気入口開口及び前記蒸気吸入開口を介して前記蒸気チャンバを通る空気／蒸気経路を与えるために前記蓋が開放されるときに貯留された蒸気を患者への直接的な投与のために利用できる、吸入器デバイス。
【請求項２】
前記パック形状本体は、
（１）吸入可能な液体が予め充填された受動蒸発支持材料を備えるレセプタクル、
（２）レセプタクル蓋、
（３）少なくとも１つの空気入口開口、及び
（４）少なくとも１つの蒸気吸入開口、
のみから成り、
吸入可能な液体を貯留するために前記レセプタクル蓋が閉じられるときに前記空気入口開口及び前記蒸気吸入開口が閉鎖位置にあり、更に、吸入可能な液体が貯留時に蒸気を形成するにつれて前記パック形状本体が蒸気チャンバを形成し、それにより、前記空気入口開口及び前記蒸気吸入開口を介して前記蒸気チャンバを通る空気／蒸気経路を与えるために前記蓋が開放されるときに貯留された蒸気を患者への直接的な投与のために利用できる、請求項１に記載の吸入器。
【請求項３】
前記レセプタクル蓋は、前記レセプタクルに対して前記蓋を跳ね上げる、上方へ引き上げる、ねじる、旋回させる、回転させる、又は、蓋のねじを緩めることによって開放される請求項１又は２に記載の吸入器。
【請求項４】
前記レセプタクル蓋は、前記レセプタクルとシール係合するように着脱自在に締結される請求項１から３のいずれか一項に記載の吸入器。
【請求項５】
前記レセプタクル蓋が回転可能に開放可能である請求項１から４のいずれか一項に記載の吸入器。
【請求項６】
前記空気入口開口部及び前記蒸気吸入開口部が前記レセプタクル蓋に形成される請求項１から５のいずれか一項に記載の吸入器。
【請求項７】
前記空気入口開口及び前記蒸気吸入開口は、前記蓋が調整可能に開放されるときに前記装置を通る空気流経路を与えるように前記レセプタクル蓋及び前記レセプタクルの両方に形成され、それにより、ユーザが吸入する際に蒸気をユーザに送出するべく前記蓋の前記開口を前記レセプタクルの前記開口と部分的に又は完全に位置合わせすることによって前記空気流経路を調整可能に制御する請求項１から６のいずれか一項に記載の吸入器。
【請求項８】
前記レセプタクル蓋が平坦である請求項１から７のいずれか一項に記載の吸入器。
【請求項９】
前記パック状本体は先が断ち切られている請求項１から８のいずれか一項に記載の吸入器。
【請求項１０】
前記蓋は、ユーザが前記蓋を開放するのを助けるためのグリップを備える請求項１から９のいずれか一項に記載の吸入器。
【請求項１１】
前記蓋が詰め物挿入体を備える請求項１から１０のいずれか一項に記載の吸入器。
【請求項１２】
前記レセプタクル蓋は、前記蒸気吸入開口を介して蒸気を送出するための一体形成されたマウスピースを備える請求項１から１１のいずれか一項に記載の吸入器。
【請求項１３】
前記マウスピースは、随意的に、従来のエアロゾル又はネブライザーフェイスマスクに適合するようになっている請求項１２に記載の吸入器。
【請求項１４】
吸入可能な液体がハロゲン化揮発性液体である請求項１から１３のいずれか一項に記載の吸入器。
【請求項１５】
前記吸入可能な液体が鎮痛剤として使用するためのメトキシフルランである請求項１から１４のいずれか一項に記載の吸入器。